(57)【特許請求の範囲】
【請求項１】
Ｘ線画像記録媒体を着脱可能に取り付ける保持部を有したＸ線画像記録媒体保持アームと、
この保持アームの上記保持部に取り付けられたＸ線画像記録媒体の記録面に対してＸ線照射軸を特定角度に位置決めするため、Ｘ線照射筒に添接あるいは固定出来るようにしたＸ線照射軸規定部を有したＸ線照射源位置決めゲージと、
上記Ｘ線記録媒体保持アームと、Ｘ線照射位置決めゲージとが互いに直交する関係を保持して回動可能に結合する結合部材とを備えた歯科用Ｘ線撮影に使用するＸ線照射筒位置決め装置。
【請求項２】
請求項１において、
上記Ｘ線照射源位置決めゲージには、上記Ｘ線画像記録媒体の記録面に対するＸ線照射源からの距離をほぼ一定にするため、Ｘ線照射筒の特定箇所に位置合わせするＸ線照射源距離規定部を更に備えた構成とした歯科用Ｘ線撮影に使用するＸ線照射筒位置決め装置。
【請求項３】
請求項１、２において、
上記保持アームは、その回転軸よりほぼ直角に折曲し、更に回転軸に平行に延出するアーム本体に、上記Ｘ線画像記録媒体を着脱可能に取り付ける保持部を設けており、かつ上記Ｘ線位置決めゲージは、上記保持アームと直交して延出する支持片より上記保持部側に折曲する延長片を形成した構造としている歯科用Ｘ線撮影に使用するＸ線照射筒位置決め装置。
【請求項４】
請求項１〜３のいずれかにおいて、
上記結合部材は、握持部を有した支持体に回動可能に取り付けられている歯科用Ｘ線撮影に使用するＸ線照射筒位置決め装置。
【請求項５】
請求項４において、
上記保持アームを上、下の反転位置に固定する固定手段と、上記Ｘ線照射源位置決めゲージを左、右の反転位置で固定する固定手段とを、上記支持体に更に備えた構成としている歯科用Ｘ線撮影に使用するＸ線照射筒位置決め装置。
【請求項６】
請求項５において、
上記保持アームと、上記Ｘ線照射源位置決めゲージとを結合する結合部材には先端に固定突部を有した軸部材を突設して、この軸部材を上記支持体に回動可能に支持する一方、この軸部材には、先端に固定突部を有した上記保持アームの回転軸を貫通させており、上記支持体には、上記保持アームの軸部材の固定突部、上記結合部材の軸部材の固定突部を嵌入させる横溝条をそれぞれに形成した２組の縦割溝を形成した歯科用Ｘ線撮影に使用するＸ線照射筒位置決め装置。
【請求項７】
請求項１〜６において、
上記Ｘ線照射源位置決めゲージは、Ｘ線照射筒の外壁に添接されるパッドを備え、そのパッドの先端には、Ｘ線照射筒の先端周縁に係止される位置合わせ突片を有している歯科用Ｘ線撮影に使用するＸ線照射筒位置決め装置。
【請求項８】
請求項１〜６において、
上記Ｘ線照射源位置決めゲージには、Ｘ線照射筒の先端に着脱可能に外嵌させ、または添接させるリング部材を、更に設けた構成とした歯科用Ｘ線撮影に使用するＸ線照射筒位置決め装置。
【請求項９】
請求項１〜８において、
上記保持アームの保持部には、Ｘ線画像記録媒体を係止する弾性爪を設けている歯科用Ｘ線撮影に使用するＸ線照射筒位置決め装置。
【請求項１０】
請求項１〜９において、
保持アームには、Ｘ線画像記録媒体より導出されたケーブルを固定する手段を設けている歯科用Ｘ線撮影に使用するＸ線照射筒位置決め装置。
【発明の詳細な説明】
【０００１】
【発明の属する技術分野】
本発明は、歯科用Ｘ線撮影に使用するＸ線照射筒位置決め装置に関する。
【０００２】
【従来の技術】
従来の歯科用Ｘ線画像診断装置としては、例えば、実用新案登録第３００４００１号に記載されたものがある。
これは、図１５に示すように、Ｘ線発生装置１１０の照射コーン１１０ａ先端部に、ガイド１０３を有する取付ブラケット１０１を取り付けるとともに、この取付ブラケット１０１のガイド１０３にはスライドバー１０６を摺動可能に取り付け、そのスライドバーの先端に口腔内センサー１０４を支承するためのホルダー１０５を取り付けたものである。
【０００３】
ところが、このような装置では、ホルダー１０５は取付ブラケット１０１を介して、Ｘ線発生装置１１０と一体になっているために、口腔内センサー１０４を口腔内に入れて位置決めを行うときに、患者に負担を強いる上に、操作が面倒であった。
また、実公平６−１４７３５号に記載されたものもある。
【０００４】
このものは、図１６（ａ），（ｂ）に示すように、平板状の基幹部２０１ａと、この基幹部２０１ａの後方に連設された保定部２０１ｂと、この保定部２０１ｂの側縁部に立設されたフィルム装着板２０２と、基幹部２０１ａの前端部から側方に張り出された支持アーム２０３ｃと、この支持アーム２０３ｃの先端に取付けられたＸ線管案内盤２０３とを有したものである。
【０００５】
ところが、このような装置では、Ｘ線撮影機Ｒの先端ＮをＸ線管案内盤２０３の開口部に当てがって、保定部２０１ｃに装着したフィルムＦにＸ線撮影機ＲからＸ線を照射するようになっており、支持アーム２０３ｃを介して基幹部２０１ａとＸ線管案内盤２０３とが一体に形成されているため、保定部２０１ｃに装着したフィルムＦの口腔内での位置決めを行うときに、やはり全体を動かさなくてはならならず、患者に負担を強いる上に、作業が面倒であるという問題があった。また、このものは臼歯用に開発されたものであり、前歯の歯牙を撮影するには不向きであった。
【０００６】
そこで、本出願人は、Ｘ線画像センサをＸ線照射筒とは分離した状態で保持する位置決め具を特開平７−２８０９４４号において提案した。
この位置決め具は、図１７（ａ），（ｂ）に示すように、Ｘ線画像センサ３０２を支持するためのセンサ支持部材３６５と、センサ支持部材３６５から延びるロッド部材３６４と、ロッド部材３６４に装着された把持部材３６１と、Ｘ線照射筒３１１の外面に当接する当接端部３６８が形成され、かつＸ線照射方向と平行な面内に延出し、把持部材３６１に螺合するネジ部３６１ａに着脱自在な板状部材３６６等で構成されており、上顎、下顎の歯牙のいずれにも使用できるものである。
【０００７】
しかしながら、この位置決め器具では、Ｘ線照射筒３１１の位置決めを規定する板状部材３６６が、把持部材３６１の上端に形成されたネジ部３６１ａに、その２股先端を嵌入し、ナット蓋３６９で固定されているため、Ｘ線撮影の方向が左右で反転した場合には、ナット蓋３６９を外して、板状部材３６６を、図１５の（ａ）から（ｂ）に示したように、付け替えを行ってから、再びナット蓋３６９で固定するという面倒さがあった。
【０００８】
【発明が解決しようとする課題】
本発明は、上記従来の問題を解消し、上、下顎および右顎、左顎、前歯のいずれの歯牙に対しても、簡単な操作でＸ線照射筒を、Ｘ線記録媒体に対して正しい位置に正確に位置決めできる歯科用Ｘ線撮影に使用するＸ線照射筒位置決め装置を提供することを目的としている。
【０００９】
【課題を解決するための手段】
上記目的を達成するために、請求項１において提案された本発明は、Ｘ線画像記録媒体を着脱可能に取り付ける保持部を有したＸ線画像記録媒体保持アームと、この保持アームの上記保持部に取り付けられたＸ線画像記録媒体の記録面に対してＸ線照射軸を特定角度に位置決めするため、Ｘ線照射筒に添接あるいは固定出来るようにしたＸ線照射軸規定部を有したＸ線照射源位置決めゲージと、Ｘ線記録媒体保持アームと、Ｘ線照射位置決めゲージとが互いに直交する関係を保持して回動可能に結合する結合部材とを備えた歯科用Ｘ線撮影に使用する備えている。
【００１０】
ここに、Ｘ線画像記録媒体は、蛍光塗料とＣＣＤセンサを組み合わせた画像センサや、輝尽性蛍光体を用いたイメージングプレートなどのようなデジタル画像を撮影するものや、従前からのＸ線フィルム、カセットなどが含まれる。
このような本発明によれば、保持部にＸ線画像記録媒体を保持させた保持アームを被検者の上顎、下顎に挿入し、Ｘ線画像記憶媒体を撮影すべき歯牙の後方においた状態で、Ｘ線照射筒をＸ線照射源位置決めゲージのＸ線照射軸規定部に添接あるいは固定すれば、Ｘ線照射軸は適正な状態に位置決めされ、ピンぼけや歪、コーンカットのないＸ線撮影画像が得られる。
【００１１】
この場合、Ｘ線照射軸は、Ｘ線画像記録媒体の記録面に垂直に位置決めすれば、平行法による撮影が可能となるが、Ｘ線照射軸をＸ線画像記録媒体の記録面に所定の角度で位置決めすれば、二等分法による撮影も可能である。
また、Ｘ線照射筒をＸ線照射源位置決めゲージに添わせる位置あるいは固定位置を規定すれば、Ｘ線撮影原理によって、得られるＸ線画像の拡大率や縮小率も任意に出来る。
【００１２】
請求項２において提案する本発明は、Ｘ線照射源位置決めゲージには、Ｘ線画像記録媒体の記録面に対するＸ線照射源からの距離をほぼ一定にするため、Ｘ線照射筒の特定箇所に位置合わせするＸ線照射源距離規定部を更に備えた構成としている。
このようなＸ線照射源距離規定部は、請求項７において提案する位置合わせ突片を有したパッドや、請求項８において提案するＸ線照射筒の先端に着脱可能に外嵌され、あるいは添接されるリング部材などによって具体化されるが、このような例に限らず、Ｘ線照射筒の特定位置に位置決めゲージを位置合わせできるものであればスケール、マーキングなどでもよく、構造は問われない。
【００１３】
請求項３は、本発明のＸ線照射筒位置決め装置を、歯科診断用に使用する場合に更に、使い勝手を考慮したものである。
この構造的な特徴は、保持アームには、その回転軸よりほぼ直角に折曲し、更に回転軸に平行に延出するアーム本体にＸ線画像記録媒体を着脱可能に取り付ける保持部を設けており、かつＸ線位置決めゲージには、保持アームと直交して延出する支持片より保持アームの保持部側に折曲する延長片を形成した構造としている。
【００１４】
本発明の位置決め装置を設計し、実施する際、このような構造を持たせれば、Ｘ線記録媒体を口腔内に挿入したり、取り出す操作がスムーズとなり、口腔内での位置付けの際にも保持アームが歯牙に当たるようなことも防止できる。
また、Ｘ線照射源位置決めゲージも位置決めする際に必要な空間が得られるので、位置決め操作をスムーズに出来る。
【００１５】
請求項４は、保持アームとＸ線照射筒位置決めゲージとを直交状態に保持してする結合部材を、握持部を有した支持体に回動可能に取り付けたもので、操作者が手で持って使用できるようにしたものである。
本発明の位置決め装置は、使用時には、被検者等が握持部を握って使用する態様で実施出来るが、そのような使用例に限定されない。握持部のない構造でも、Ｘ線記録媒体に対するＸ線照射筒の位置決め機能を十分に果たすことが出来き、その場合には、結合部材、保持アーム、位置決めゲージを手で持って使用すればよく、請求項１〜３は握持部を有さない構造において、位置決め装置として使用されることを想定している。
【００１６】
また、請求項５において提案される本発明は、左、右上顎内の歯牙や、左、右下顎内の歯牙を撮影する場合に、保持アームやＸ線照射源位置決めゲージを回動操作する際、それぞれの固定手段によって、撮影法に見合った特定の位置に位置決め固定できるようにして操作者の便宜を図ったものであり、保持アームを、上、下の反転位置に固定する固定手段と、Ｘ線照射源位置決めゲージを、左、右の反転位置で固定する固定手段とを、支持体に更に設けた構造としている。
【００１７】
結合手段によって直交関係に保持された保持アームとＸ線源位置決めゲージとを、固定手段によって特定位置に設定する際、Ｘ線画像記録媒体の記録面に対して、Ｘ線照射軸が垂直になるように固定すれば、左、右上顎内の歯牙や、左、右下顎内の歯牙を、平行法によって撮影出来るが、固定手段によって固定される位置によっては、二等分法による撮影も可能である。
【００１８】
請求項６において提案する本発明は、請求項５において提案する固定手段を更に具体化したものであり、保持アームと、Ｘ線照射源位置決めゲージとを結合する結合部材には先端に固定突部を有した軸部材を突設して、この軸部材を支持体に回動可能に支持する一方、この軸部材には、保持アームの先端に固定突部を有した回転軸を貫通させている。そして、支持体には、保持アームの軸部材の固定突部と、結合部材の軸部材の固定突部の各々を嵌入させる横溝条をそれぞれに形成した２組の縦割溝を形成している。
【００１９】
このような構造によれば、保持アームと、Ｘ線照射筒位置決めゲージとの回転中心は、結合部材によって同軸になるので、正確な位置決めが可能となる上に、保持アーム、Ｘ線照射筒位置ゲージは、それぞれの固定手段によって、特定の位置に固定させる場合、その位置に固定されたときには、クリック感が得られる。請求項７、請求項８は、Ｘ線照射源位置決めゲージの具体例を提案するもので、請求項７では、Ｘ線照射筒の外壁に添接されるパッドを備え、そのパッドの先端には、Ｘ線照射筒の先端周縁に係止される位置合わせ突片を有している。
また、請求項７は、パッドの位置合わせ突片をＸ線照射筒の先端周縁に当てがうようにして、パッドをＸ線照射筒の外壁に添接させて位置決めを行うものであり、請求項８では、Ｘ線照射源位置決めゲージには、Ｘ線照射筒の先端に外嵌させて着脱可能に取り付けられ、または添接させるリング部材を更に設けた構成としている。
【００２０】
請求項９は、保持アームの保持部についての構造を更に具体化したもので、Ｘ線画像記録媒体を弾性係止させる係止爪を設けている。請求項１０は、保持アームには、Ｘ線画像記録媒体より導出されたケーブルを固定する手段を設けたもので、Ｘ線画像記録媒体にＣＣＤセンサを利用したものを使用する場合に、これらの媒体から導出するケーブルをＸ線撮影の障害にならない状態に保持するものである。
【００２１】
なお、本発明の位置決め装置は、耐薬品性の優れた金属材料や樹脂材料で形成されるが、樹脂材料を用いる場合、抗菌材料を使用することが衛生上も望ましい。更に滅菌性を確保するため、オートクレーブ出来るような材料を用いて製造してもよいことはいうまでもない。
【００２２】
【発明の実施の形態】
以下、本発明に係る歯科用Ｘ線撮影に使用するＸ線照射筒位置決め装置の実施の形態について、図とともに説明する。
図１〜図９は本発明の第一の実施例を示している。
本発明のＸ線照射筒位置決め装置Ａは、図１、図３によく示されているように、Ｘ線画像記録媒体２を着脱可能に取り付ける保持部１２を有したＸ線画像記録媒体保持アーム１と、この保持アーム１の保持部１２に取り付けたＸ線画像記録媒体２の記録面２１に対してＸ線照射軸Ｘを特定角度に位置決めするため、Ｘ線照射筒３に添接あるいは固定出来るようにしたＸ線照射軸規定部４１を有したＸ線照射源位置決めゲージ４と、Ｘ線記録媒体保持アーム１と、Ｘ線照射位置決めゲージ４とを互いに直交する関係を保持して回動可能に結合する結合部材５とを備えた基本構造をなしている。
【００２３】
ここに、Ｘ線画像記録媒体２としては、蛍光塗料とＣＣＤセンサを組み合わせた画像センサや、輝尽性蛍光体を用いたイメージングプレートなどのようなデジタル画像を撮影するものや、従前からのＸ線フィルム、カセットなどが含まれる。
保持アーム１は、結合部材５に貫通させた回転軸１１をほぼ直角に折曲し、更に回転軸１１に平行に延出するクランク形状になったアーム本体１ａの先端に保持部１２を設けている。
【００２４】
この保持部１２は、図９（ａ），（ｂ）に示したように、上方が開口したコ字状の枠体に形成されており、この枠体には記録媒体２を挿入固定するための溝条１２ａが形成され、その枠体の一方の起立片には、弾性変形させて記録媒体２を係止させる弾性爪１２ｂを形成し、これによって記録媒体２の挿着を容易にするとともに、挿着後は容易に脱落しないようにしている。
【００２５】
一方のＸ線照射位置決めゲージ４は、保持アーム１の回転軸１１とと直交するようにして、支持片４０を結合部材５に固着しており、この支持片４０には保持アーム１の保持部１２側に折曲して延出する延長片４０ａを一体に形成し、その延長片４０ａの保持アーム１の保持部１２側の端部をＸ線照射軸規定部４１として、Ｘ線照射筒３の外壁に、Ｘ線照射軸Ｘに平行になるように添接させるようにしている。
【００２６】
また、このゲージ４の延長片４０ａの直角折曲部はＸ線照射源距離規定部４２を構成しており、この部分を図１や図３に示すように、Ｘ線照射筒３の先端に合致させるように係止して位置決めを行う。
また、保持アーム１と位置決めゲージ４を直交する関係に保持する結合部材５は、図６，図７に示したように、結合部材５より軸部材４ａを突出させ、その軸部材４ａより保持アーム１の回転軸１１を貫通させ突出させている。
したがって、保持アーム１と位置決めゲージ４とは、この結合部材５によって同軸状に配置され、それぞれの回転の中心軸が一致するので、正確な位置決めが可能となる。
【００２７】
また、図例では、結合部材５を握持部８を形成した支持体８１に取り付け、握持部８を手で握ることによって位置決め操作が可能になっているが、このような支持体８１がないときには、保持アーム１、位置決めゲージ４、結合部材５のいずれかを手で持って位置決めを行う。
このような構造の本発明の位置決め装置によれば、図１に示したように、保持アーム１２の保持部１２にＸ線画像記録媒体２を保持させた保持アーム１を被検者の顎内に挿入し、Ｘ線画像記憶媒体を撮影すべき歯牙１０の後方においた状態で、Ｘ線照射筒３をＸ線照射源位置決めゲージ４のＸ線照射軸規定部４１に添接させれば、Ｘ線照射軸Ｘは記録媒体２の記録面２１に対して適正な状態に位置決めできるので、ピンぼけ、歪やコーンカットのないＸ線撮影画像が得られる。
【００２８】
また、歯牙１０のＸ線撮影を行う場合、図２の（ａ），（ｂ）に示したように、Ｘ線照射軸Ｘを、Ｘ線画像記録媒体２の記録面２１に垂直に位置決めすれば、平行法による撮影が可能となるが、Ｘ線照射軸ＸをＸ線画像記録媒体２の記録面２１に対して所定の角度で位置決めすることもでき、その際には二等分法による撮影も可能となる。
【００２９】
図４、図５は、特に平行法によって撮影する場合の本発明の位置決め装置Ａの使用例を示している。
これらの図に見るように、クランク状に折曲形成された保持アーム１の回転軸１１と、この保持アーム１の回転軸１１に直交する関係を保持するように位置決めゲージ４を固着した結合部材５より突出させた軸部材４ａとは、それぞれの回転軸は同心状となり、位置決めゲージ４の長手方向と垂直に交わっており、Ｘ線照射筒３のＸ線照射軸Ｘは、保持アーム１の回転軸１１の延長線上で直交するとともに、支持体８１の長手軸と直交している。
【００３０】
図４（ａ），（ｂ）は、右上顎内の歯牙を撮影する場合の保持アーム、位置決めゲージの位置関係を示した側面図、正面図であり、図５（ａ），（ｂ）は、左下顎内の歯牙を撮影する場合の保持アーム、位置決めゲージの位置関係を示した側面図、正面図を示しており、Ｘ線照射軸Ｘは、これらに示されているように、保持アーム１の保持部１２に保持したＸ線画像記録媒体２の記録面２１の上下、左右の中心を通るようになっている。
【００３１】
また、このような本発明の位置決め装置Ａによれば、保持アーム１と位置決めゲージ４とは互いに直交する関係を保持し、回動可能な状態に結合手段５に結合された基本構造となっているので、左上顎、右下顎、左下顎の歯牙を、Ｘ線撮影する場合には、図８の（ａ），（ｂ），（ｃ）で示したように、保持アーム１、位置決めゲージ４を回転操作して、Ｘ線照射筒３とＸ線画像記録媒体２を撮影すべき歯牙（不図示）の間に設置すれば、正しい撮影位置に設定出来る。
【００３２】
ところで、本発明の位置決め装置を、このようにして使用する場合、不慣れな被検者でも保持アーム１と、位置決めゲージ４との位置設定をスムーズに行えることが望まれる。
図６、図７は、そのような要請に応えるためになされた、保持アーム１、位置決めゲージ４の固定手段を支持体に設けた例を示している。
【００３３】
保持アーム１の固定手段は、図６に見るように、結合部材５を貫通する回転軸１１の先端を折曲して固定突部１４を形成する一方、保持アーム１を回動可能に取り付けた支持体８１には、縦割溝６を形成し、その縦割溝６の適所に、回転軸１１の突部４ｂを嵌入させる大きさの横溝条６１を、縦割溝６を横断するように形成して構成される。
【００３４】
また、他方の位置決めケージ４の固定手段は、図７に見るように、位置決めゲージ４を固着した結合部材５より突出させた軸部材４ａに固定突部４ｂを形成する一方、結合部材５を回動可能に取り付ける支持体８１には、上記した保持アーム１のための縦割溝６よりも、より結合部材５に近接した箇所に、軸部材４ａの固定突部４ｂを嵌入させる大きさの横溝条７１を、縦割溝７を横断するように形成して構成される。
【００３５】
したがって、このような構造によれば、保持アーム１を回動させると、回転軸１１の固定突部１４が横溝条６１に嵌入されていない途中の状態にあるときには、回転軸１１の固定突部１４は縦割溝６を押し広げるように弾性変形させ、回転軸１１の固定突部１４が横溝条６１に嵌入されたときには、縦割溝６の弾性変形が解消するので、回転軸１１の固定突部１４が横溝条６１に嵌入されたときにクリック感が得られ、その位置に固定することが出来る。
このような方法によれば、保持アーム１の回転軸１１に形成する固定突部１４の折曲方向を規定すれば、保持アーム１の固定位置を、平行法による撮影に便利な位置、つまり上下で反転した位置に設定することができるが、横溝条６１を縦割溝６に対して幾らかの角度を持たせて形成すれば、保持アーム１の固定位置を任意の角度に設定することもできる。
【００３６】
また、位置決めゲージ４を回動させた場合も、上記と同様にして、結合部材５の軸部材４ａの固定突部４ｂが横溝条７１に嵌入されていない途中の状態にあるときには、軸部材４ａの固定突部４ｂは縦割溝７を押し広げるように弾性変形させ、軸部材４ａの固定突部４ｂが横溝条７１に嵌入されたときには、縦割溝７の弾性変形が解消するので、軸部材４ａの固定突部４ｂが溝条７１に嵌入されたときにクリック感が得られ、その位置に固定することが出来る。
位置決めゲージ４の固定位置は、保持アーム１に対して相対的に定まり、図例では、上、下反転位置で固定される保持アーム１に対して、左、右反転位置で固定されるようにしているが、保持アーム１と同様に横溝条７１を縦割溝７に対して幾らかの角度を持たせて形成すれば、その固定位置を任意の角度に設定でき、二等分法を用いて撮影を行う場合に便利である。
【００３７】
図１０〜図１４図は、本発明の他例を示している。
基本的な構造は前述の実施例と同様なので、異なる箇所のみ説明する。
図１０は、保持アーム１に、Ｘ線画像記録媒体２より導出されたケーブルを固定する手段１３を設けたもので、弾性力で閉じる方向に付勢された合わせ爪部分１３ａを押し広げるようにして開口させれば、ケーブル９の挿入が容易にできるので、Ｘ線画像記録媒体２にＣＣＤセンサなどのケーブルを導出させたものを用いた場合に便利であり、Ｘ線撮影時に、これらの媒体から導出するケーブル９をＸ線撮影の障害にならない状態に保持できる。
【００３８】
図１１は、位置決めゲージ４’を線状材でフレーム状に形成したもので、構造が簡単で軽量な利点がある。
図１２は、Ｘ線照射源位置決めゲージ４の他例を示しており、Ｘ線照射筒３の外壁の湾曲面に応じた添接面を有したパッド４１’を備え、そのパッド４１’の先端には、Ｘ線照射筒３の先端周縁に係止される位置合わせ突片４２’を設けた構造としており、この構造では、図に示したように、位置合わせ突片４２’をＸ線照射筒３の先端周縁に当てがい、パッド４１’をＸ線照射筒３の外壁に添わせて使用する。位置合わせ突片４２’によって、位置決めゲージ４がズレ動かないように規定され、簡単に正確に位置決め出来る。
【００３９】
図１３は、位置決めゲージ４の先端に小突片４２”を設けたものであり、Ｘ線照射筒３の先端周縁に小突片４２”を係止して使用するものである。
また、図１４はＸ線照射源位置決めゲージ４に、Ｘ線照射筒３の先端に着脱可能に取り付けられるリング部材４２ａを設けたものを示している。
この例のものでは、リング部材４２ａは、Ｘ線照射筒３の先端周縁に回動可能に外嵌させているので、Ｘ線照射筒３の位置を固定したまま、リング部材４２ａを実線から想像線のように回転させるだけで、左、右の上顎に対して簡単に位置決め出来る。リング部材は、この例のように外嵌されずに、Ｘ線照射筒３に添接して使用してもよい。なお、この図では、保持アーム１を回動させて、上、下反転位置で固定させる回転軸１１の嵌入溝５には突部５ａを形成することによって、保持アーム１が上、反転位置で固定されたときにはクリック感が得られるようになっている。
【００４０】
【発明の効果】
以上の説明より理解されるように本発明（請求項１）によれば、保持部にＸ線画像記録媒体を保持させた保持アームを被検者の口腔内に挿入し、Ｘ線画像記憶媒体を撮影すべき歯牙の後方においた状態で、口腔外よりＸ線照射源位置決めゲージを対向位置に置き、Ｘ線照射軸規定部をＸ線照射筒に添接あるいは固定すれば、Ｘ線照射軸は適正な状態に位置決め出来る。
【００４１】
また、保持アームと位置決めゲージとは、互いに直交する関係を保持して回動可能に結合されているので、Ｘ線画像の撮影対象となる歯牙が上顎の右から左、下顎の右から左に変わった場合にも、保持アーム、位置決めゲージを回動操作するだけで、簡単に位置決めできる。
請求項２，７，８において提案する本発明によれば、Ｘ線照射源位置決めゲージには、Ｘ線画像記録媒体の記録面に対するＸ線照射源からの距離をほぼ一定にするため、Ｘ線照射筒の特定箇所に位置合わせするＸ線照射源距離規定部を更に備えているので、このＸ線照射源距離規定部にＸ線照射筒を位置合わせすれば、Ｘ線画像記録媒体に対するＸ線照射源の位置まで設定でき、拡大、縮小率を撮影時に一定に出来る。
【００４２】
請求項３において提案する本発明によれば、Ｘ線記録媒体を口腔内に挿入したり、取り出す操作がスムーズとなり、口腔内での位置付けの際にも保持アームが歯牙に当たるようなことも防止でき、また、Ｘ線照射源位置決めゲージも位置決めるする際に必要な空間が得られるので、位置決め操作をスムーズに出来るので、歯科診断用に使用する場合に更に、使い勝手が向上する。
【００４３】
請求項４において提案する本発明によれば、保持アームとＸ線照射源位置決めゲージとを接合する結合部材は、握持部を有した支持体に回動可能に取り付けられているので、操作者が手で持って簡単に使用できる。
請求項５，６において提案される本発明は、左、右上顎内の歯牙や、左、右下顎内の歯牙を撮影する場合に、保持アームやＸ線照射源位置決めゲージを回動操作する際、それぞれの固定手段によって、撮影法に見合った特定の位置に位置決め固定できるようにしているので、操作者が操作するとき一層使い勝手が向上する。特に、請求項６において提案する本発明によれば、保持アームと、Ｘ線照射筒位置ゲージとの回転中心は、結合部材によって同軸になるので、正確な位置決めが可能となる上に、支持体には、保持アームの軸部材の固定突部と、結合部材の軸部材の固定突部の各々を嵌入させる横溝条をそれぞれに形成した２組の縦割溝を形成しているので、特定の位置に固定させる場合に、クリック感が得られ、操作に不慣れな者でも容易に使用出来る。
【００４４】
請求項９において提案する本発明によれば、保持アームの保持部には弾性係止爪を設けているので、Ｘ線画像記録媒体の取り外し操作が簡単にできる。
更に、請求項１０において提案する本発明によれば、保持アームには、Ｘ線画像記録媒体より導出されたケーブルを固定する手段を設けているため、Ｘ線画像記録媒体にＣＣＤセンサを利用したものを使用する場合にも、Ｘ線撮影時に、これらの媒体から導出するケーブルをＸ線撮影の障害にならない状態に保持できる。
【図面の簡単な説明】
【図１】本発明の位置決め装置の一実施例を示す斜視図。
【図２】（ａ），（ｂ）は本発明の位置決め装置を用いて、歯牙のＸ線撮影を行う場合の説明図。
【図３】本発明の位置決め装置の使用状態を示す平面図。
【図４】（ａ），（ｂ）は本発明の位置決め装置の使用状態（右上顎内の歯牙を撮影する場合）に於ける側面図、正面図。
【図５】（ａ），（ｂ）は本発明の位置決め装置の使用状態（左下顎内の歯牙を撮影する場合）に於ける側面図、正面図。
【図６】（ａ），（ｂ）は、Ｘ線画像記録媒体保持アームの固定手段の構造と、その使用要領を説明する図。
【図７】（ａ），（ｂ）は、Ｘ線照射源位置決めゲージの固定手段の構造と、その使用要領を説明する図。
【図８】本発明の位置決め装置の使用要領を説明する図で、（ａ），（ｂ），（ｃ）はそれぞれ、左上顎、右下顎、左下顎の歯牙をＸ線撮影する場合の使用要領の説明図。
【図９】Ｘ線画像記録媒体の保持部の説明図であり、（ａ）はその部分の斜視図、（ｂ）は弾性爪を示す一部を破断した部分説明図である。
【図１０】本発明の位置決め装置の他例で、Ｘ線画像記録媒体より導出させたケーブルの固定手段の一例を示す斜視図。
【図１１】本発明の位置決め装置の他例で、Ｘ線照射源位置決めゲージを、線条フレーム材で形成した例を示す斜視図。
【図１２】本発明の位置決め装置の他例で、Ｘ線照射源位置決めゲージにＸ線照射筒の外壁に添接させるパッドを設けた例を示す斜視図。
【図１３】本発明の位置決め装置の他例で、Ｘ線照射源位置決めゲージに係止小片を設けた例を示す斜視図。
【図１４】本発明の位置決め装置の他例で、Ｘ線照射源位置決めゲージにＸ線照射源距離規定部として、リング部材を設けた例を示す斜視図。
【図１５】Ｘ線画像記録媒体をＸ線照射筒に取り付けて使用する従来の位置決め装置の例を示す図。
【図１６】（ａ），（ｂ）はＸ線画像記録媒体をＸ線照射筒に取り付けて使用する別の従来の位置決め装置の例を示す図。
【図１７】（ａ），（ｂ）はＸ線画像記録媒体をＸ線照射筒から分離させて使用する従来例の位置決め装置の例を示す図。
【符号の説明】
Ａ・・・本発明のＸ線照射筒位置決め装置
１・・・Ｘ線記録媒体保持アーム
１２・・・Ｘ線記録媒体保持部
２・・・Ｘ線画像記録媒体
２１・・・その記録面
３・・・Ｘ線照射筒
４，４’・・・Ｘ線照射源位置決めゲージ
４１，・・・Ｘ線照射軸規定部
４２・・・Ｘ線照射源距離規定部
４１’・・・パッド
４２’・・・位置合わせ突片
４２”・・・小突片
４２ａ・・・リング部材
５・・・結合部材
１４，６，６１・・・Ｘ線記録媒体保持アームの固定手段
４ａ，４ｂ，７，７１・・・Ｘ線照射源位置決めゲージの固定手段
８１・・・支持体
８・・・握持部
１０・・・歯牙
【図１】
0003815871.tif 000002
【図２】
0003815871.tif 000003
【図３】
0003815871.tif 000004
【図４】
0003815871.tif 000005
【図５】
0003815871.tif 000006
【図６】
0003815871.tif 000007
【図７】
0003815871.tif 000008
【図８】
0003815871.tif 000009
【図９】
0003815871.tif 000010
【図１０】
0003815871.tif 000011
【図１１】
0003815871.tif 000012
【図１２】
0003815871.tif 000013
【図１３】
0003815871.tif 000014
【図１４】
0003815871.tif 000015
【図１５】
0003815871.tif 000016
【図１６】
0003815871.tif 000017
【図１７】
0003815871.tif 000018